(57)【要約】【課題】  嵩高の被包装物を収納するガゼット折りのまちを有する包装用袋において、簡単な作業により被包装物を容易に収納することができるとともに、何度でも支障なく再利用することができるようにする。【解決手段】  上面３０ａ，下面３０ｂおよび対向する２対の側面３０ｃ，３０ｄ；３０ｅ，３０ｆを含み、上面３０ａに開口部３３が設けられているとともに、ガゼット折りのまちＧが上記各側面のうちの一方の対をなす２つの側面３０ｅ，３０ｆに設けられ、他方の対をなす２つの側面３０ｃ，３０ｄが閉じられていて、開口部３３より嵩高の被包装物１０を収納した際に、その厚さによりまちＧが広げられてほぼ直方体を呈する包装用袋３０において、上記まちＧが設けられている側面３０ｅ，３０ｆの上記上面３０ａと接する辺に対して所定角度に傾けられたスリット３２を形成して、被包装物１０を出し入れする開口部３３とする。【選択図】  図２
2007008531.tif 000002
【特許請求の範囲】
【請求項１】
上面，下面および対向する２対の側面を含み、上記上面に開口部が設けられているとともに、ガゼット折りのまちが上記各側面のうちの一方の対をなす２つの側面に設けられ、他方の対をなす２つの側面が閉じられていて、上記開口部より嵩高の被包装物を収納した際に、その厚さにより上記まちが広げられてほぼ直方体を呈する包装用袋であって、
上記開口部が、上記まちが設けられている側面の上記上面と接する辺に対して所定角度に傾けられたスリットからなることを特徴とする包装用袋。
【請求項２】
上記スリットが、上記他方の対をなす２つの側面にまで延ばされていることを特徴とする請求項１に記載の包装用袋。
【請求項３】
当該包装用袋の全体が樹脂フィルムよりなることを特徴とする請求項１または２に記載の包装用袋。
【請求項４】
当該包装用袋の全体が伸縮性を有する基材よりなることを特徴とする請求項１ないし３のいずれか１項に記載の包装用袋。
【請求項５】
上記スリットの両端に、裂け防止用の円形状の止め孔が形成されていることを特徴とする請求項１ないし４のいずれか１項に記載の包装用袋。
【請求項６】
上記スリットに沿って嵌合式のファスナーが設けられていることを特徴とする請求項１ないし５のいずれか１項に記載の包装用袋。
【発明の詳細な説明】
【技術分野】
【０００１】
本発明は、被包装物を収納する包装用袋に関し、さらに詳しく言えば、嵩高の被包装物を収納するガゼット折りを備える包装用袋に関するものである。
【背景技術】
【０００２】
包装用袋には、被包装物の種類や性質あるいはその使用用途に応じて合掌袋，ガゼット袋，三方袋またはカマス袋などが利用される。このうち、ガゼット袋は、側面に厚みを持たせるまちを入れたガゼット折りの包装用の袋であり、比較的嵩高の被包装物の収納に適している。
【０００３】
このようなガゼット折りを有する包装用袋は、様々な場面で使用され、その被包装物も事務用品や食品，日用品などに限られず、例えば、液晶パネルのような工業製品を搬送する際の包装用袋としても利用されている。
【０００４】
すなわち、液晶パネルの搬送にあたっては、通常、複数枚の液晶パネルを盆形状の収納トレイ上に並べて載置し、その収納トレイを複数枚積層して段ボールなどの梱包箱に収納して搬送するようにしているが、収納トレイを密接するように積層しても微細な塵などの異物が収納トレイ内に侵入して液晶パネルに付着してしまうことがある。
【０００５】
これを防ぐために、積層した収納トレイをガゼット折りのまちを有する包装用袋に収納し異物が入らないように保護したのち、段ボールなどの梱包箱に再度収納して搬送することが行われており、その収納例を図５により説明する。図５は、液晶パネルが載置された収納トレイ１１を嵩高に積み重ねたものを被包装物１０として、これを包装用袋２０に収納する一例を示している。
【０００６】
この包装用袋２０はガゼット折りのまちを有する包装用袋で、ほぼ直方形状の上面２０ａ，下面２０ｂと、互いに対向する２対の側面２０ｃ，２０ｄ；２０ｅ，２０ｆとを含む６面体よりなるが、この例では、一方の対をなす側面２０ｃ，２０ｄのうちの一方の側面２０ｃはシール部２１により閉じられ、他方の側面２０ｄは被包装物１０を入れるための開口部２２とされている。 他方の対をなす側面２０ｅ，２０ｆには、ガゼット折りのまちＧが設けられている。
【０００７】
包装用袋２０は、被包装物１０の厚み（嵩）に適したガゼット折りのまちＧを有するものが選択され、その開口部２２から被包装物１０を包装用袋２０内に収納したのち、開口部２２の各辺を折り畳んで、図示しない接着テープなどにより開口部２２を閉じる。
【発明の開示】
【発明が解決しようとする課題】
【０００８】
しかしながら、被包装物１０を包装用袋２０に収納したのち、開口部２２を閉じるために各辺を折り畳む作業および折り畳んだ部分を接着テープなどで止着する作業は人手によるものであることから、その作業に手間がかかるという問題があった。
【０００９】
そして、被包装物１０の搬送先では、接着テープを剥がしたり、カッターで接着テープを切断することにより被包装物１０が取り出されるが、一旦接着テープを剥がすと、その表面があれるため再度接着テープを貼り付けることは困難である。
【００１０】
また、カッターで接着テープを切断するにしても、再利用時には、その接着テープ上にさらに接着テープを貼り付けることになり、接着テープの接着性が極端に低下する。したがって、いずれにしても包装用袋２０は１回限りの使用ということになり、資源を無駄に消費しかねない。
【００１１】
これを解決するには、包装用袋２０の開口部２２に繰り返し使用可能な嵌合式ファスナーを取り付ければよいのであるが、ガゼット折りのまちＧを有する包装用袋では、その構造上の制約から、嵌合式ファスナーを適用することができない。
【００１２】
したがって、本発明の課題は、嵩高の被包装物を収納するガゼット折りのまちを有する包装用袋において、簡単な作業により被包装物を容易に収納することができるとともに、何度でも支障なく再利用することができる包装用袋を提供することにある。
【課題を解決するための手段】
【００１３】
上記課題を解決するため、請求項１に記載の発明は、上面，下面および対向する２対の側面を含み、上記上面に開口部が設けられているとともに、ガゼット折りのまちが上記各側面のうちの少なくとも一方の対をなす２つの側面に設けられ、他方の対をなす２つの側面が閉じられていて、上記開口部より嵩高の被包装物を収納した際に、その厚さにより上記まちが広げられてほぼ直方体を呈する包装用袋であって、上記開口部が、上記まちが設けられている側面の上記上面と接する辺に対して所定角度に傾けられたスリットからなることを特徴としている。
【００１４】
請求項２に記載の発明は、上記請求項１において、上記スリットが、上記他方の対をなす２つの側面にまで延ばされていることを特徴としている。
【００１５】
請求項３に記載の発明は、上記請求項１または２において、当該包装用袋の全体が樹脂フィルムよりなることを特徴としている。
【００１６】
請求項４に記載の発明は、上記請求項１ないし３のいずれか１項において、当該包装用袋の全体が伸縮性を有する基材よりなることを特徴している。
【００１７】
請求項５に記載の発明は、上記請求項１ないし４のいずれか１項において、上記スリットの両端に、裂け防止用の円形状の止め孔が形成されていることを特徴としている。
【００１８】
請求項６に記載の発明は、上記請求項１ないし５のいずれか１項において、上記スリットに沿って嵌合式のファスナーが設けられていることを特徴としている。
【発明の効果】
【００１９】
請求項１に記載の発明によれば、包装用袋の上面に、所定角度に傾けられたスリットを入れて開口部としたことにより、包装用袋の上面が三角形状の蓋部材に２分割され、被包装物を包装用袋に収納するにあたっては、スリットを開いて被包装物の半身を一方の蓋部材内に潜り込ませるようにして包装用袋内に入れたのち、他方の蓋部材を被包装物の残りの半身の底面から側面を乗り越えさせて上面に導くことにより、スリットが自然と閉じられるため、簡単な作業により被包装物を容易に収納することができるとともに、何度でも支障なく再利用することができる。
【００２０】
上記スリットを他方の対をなす２つの側面にまで延ばすようにした請求項２に記載の発明によれば、被包装物の収納後にスリットがより確実に自然と閉じられる。
【００２１】
包装用袋の全体を樹脂フィルムとする請求項３に記載の発明によれば、樹脂フィルムのしなやかさにより、被包装物の収納および取り出しをスムースに行うことができる。
【００２２】
また、包装用袋の全体を伸縮性を有する基材（例えばゴム材）とする請求項４に記載の発明によれば、請求項３による効果に加えて、包装用袋を被包装物に密着させることができる。
【００２３】
スリットの両端に裂け防止用の円形状の止め孔を形成する請求項５に記載の発明によれば、繰り返し使用によっても、スリットが裂けて広がるようなことがないため、包装用袋の耐久性が高められる。
【００２４】
スリットに沿って嵌合式のファスナーを設けるようにした請求項６に記載の発明によれば、開口部を密封できるため、異物の付着を嫌う精密機器に好適な包装用袋とすることができる。
【発明を実施するための最良の形態】
【００２５】
次に、図１ないし図４により、本発明の実施形態について説明するが、本発明はこれに限定されるものではない。図１は本発明による包装用袋３０を模式的に示す平面図，図２は包装用袋３０と被包装物１０とを並置して示す斜視図で、図３，図４は包装用袋３０内に被包装物１０を入れる手順を示す説明図である。なお、この実施形態の説明においても、被包装物１０は、先の図５で説明した液晶パネル搬送用のトレイ１１を多段積みした嵩高な直方体を呈しているが、円柱体のようなものであってもよい。
【００２６】
この包装用袋３０はガゼット折りのまちＧを有する包装用袋で、未使用時には図１，図２に示すように平らに折り畳まれており、被包装物１０を収納することによりガゼット折りのまちＧが広げられて、図４に示すように直方体（６面体）となる。
【００２７】
この包装用袋３０は、上面３０ａ，下面３０ｂおよび対向する２対の側面３０ｃ，３０ｄ；３０ｅ，３０ｆを含み、その全体が強靱な紙製であってもよいが、被包装物１０を出し入れするうえで、その全体が柔軟な樹脂フィルムよりなることが好ましい。また、例えば異物の入り込みを防止するなどの理由から、包装用袋３０を被包装物１０に密着させる必要がある場合には、全体を伸縮性を有する基材（例えばゴム材）とすればよい。
【００２８】
この例において、一方の対をなす側面３０ｃ，３０ｄはシール部３１，３１により閉じられており、他方の対をなす側面３０ｅ，３０ｆにガゼット折りのまちＧが設けられている。すなわち、この例での包装用袋３０は合掌ガゼット袋であるが、４つの側面３０ｃ〜３０ｆの各々にガゼット折りのまちＧを有する四方ガゼット袋であってもよい。通常、ガゼット折りのまちＧは保管スペースをとらないように内側に向けて折り込まれるが、場合によっては、外側に向けて折り曲げられてもよい。
【００２９】
この包装用袋３０では、上面３０ａに被包装物１０を出し入れするための開口部３３を備えるが、本発明においては、その開口部３３を上面３０ａに所定の角度傾けて切り込まれたスリット３２により形成している。すなわち、スリット３２はガゼット折りのまちＧが設けられている側面３０ｅ，３０ｆの辺に対して平行ではなく、その辺に対して所定の角度を持つように切り込まれる。
【００３０】
この例では、スリット３２を上面３０ａのほぼ対角線に沿って切り込んでおり、これにより、上面３０ａは、スリット３２により２つの三角形状の蓋部材３０ａ１，３０ａ２に分割されることになる。
【００３１】
この場合、スリット３２を開いたときに、その端部が裂けないようにするため、スリット３２の両端に円形状の止め孔３２１，３２１を形成することが好ましく、より好ましくは、止め孔３２１，３２１に沿ってさらに適当な当てものを添設するとよい。
【００３２】
被包装物１０を包装用袋３０に収納するにあたっては、まず、スリット３２が被包装物１０の対角線ａよりも長く、また、ガゼット折りのまちＧが被包装物１０の厚さｂよりも大きな包装用袋３０を選択する。
【００３３】
そして、被包装物１０の対角線ａをスリット３２とほぼ平行として、図２の矢印に示すように、被包装物１０を上面３０ａの一方の蓋部材３０ａ２上に載せたのち、図３に示すように、側面３０ｅ側のガゼット折りのまちＧを広げながら、被包装物１０の角部１０ａを他方の蓋部材３０ａ１内に潜り込ませて、被包装物１０の半身を包装用袋３０内に入れる。
【００３４】
次に、他方の蓋部材３０ａ２を被包装物１０の底面から引き出し、側面３０ｆ側のガゼット折りのまちＧを広げながら、被包装物１０の側面および他方の角部１０ｂを乗り越えさせて上面に導くことにより、被包装物１０の残された半身を包み込む。
【００３５】
このようにして、図４に示すように、被包装物１０を包装用袋３０に収納することができる。このとき、包装用袋３０は直方体となるため、スリット３２（開口部３３）が自然と閉じられることになる。したがって、スリット３２を接着テープなどの止着手段で封止する必要がなくなるため、包装用袋３０を繰り返し使用することが可能となる。
【００３６】
なお、スリット３２の両端を、シール部３１，３１により閉じられていて包装用袋３０が直方体とされるときに現れる２つの側面３０ｃ，３０ｄにまで延ばすことにより、スリット３２をより確実に自然に閉じることができる。
【００３７】
これを図４で説明すれば、スリット３２の両端を、２つの側面３０ｃ，３０ｄにまで延ばすとともに、隣接する２つの側面３０ｄ，３０ｆが交わる角と、隣接する２つの側面３０ｃ，３０ｅが交わる角の近傍に配置する、すなわちスリット３２を図２に示す被包装物１０の上面および対角線ａ方向に対向する角部１０ｃ，１０ｄの側面の３面にまたがるように配置することにより、スリット３２の開きが上記２つの角によって規制され、これにより、スリット３２が閉じられた状態に維持される。
【００３８】
また別の例として、図示しないが、スリット３２に沿って帯状のフィルムを添設して二重フィルム構造とすることにより、機械的強度を向上させることもできる。さらには、スリット３２に沿って図示しない嵌合式ファスナーを配設してもよい。
【図面の簡単な説明】
【００３９】
【図１】本発明に係る包装用袋を模式的に示す平面図。
【図２】上記包装用袋と被包装物とを並置して示す斜視図。
【図３】上記包装用袋内に被包装物を入れる手順を示す説明図。
【図４】上記包装用袋内に被包装物を入れる手順を示す説明図。
【図５】従来の包装用袋と被包装物とを示す斜視図。
【符号の説明】
【００４０】
１０  被包装物
１０ａ〜１０ｄ  角部
３０  包装用袋
３０ａ  上面
３０ｂ  下面
３０ｃ〜３０ｆ  側面
３１  シール部
３２  スリット
３２１  止め孔
３３  開口部
３４ａ，３４ｂ  縦辺
Ｇ  ガゼット折りのまち
【図１】
2007008531.tif 000003
【図２】
2007008531.tif 000004
【図３】
2007008531.tif 000005
【図４】
2007008531.tif 000006
【図５】
2007008531.tif 000007